(57)【要約】【課題】ゴミ収集かご内にゴミが流れ込んだ場合でも、それらのゴミによって、水はけ性能が低下することを回避することのできるゴミ収集かごを得ること。【解決手段】有底の筒状に形成され、少なくとも側壁部は通水可能な壁部とされたかご本体部１０と、かご本体部１０に設けられ、その上縁部近傍位置から底部１０ａの下側空間Ｘまでの間を連通させる通気手段１２と、を有する。この構成により、ゴミ収集かごの下側空間とゴミ収集かご内のゴミより上の空間とは、通気手段１２の存在により、常に連通された状態にあり、排水が流下していく状況においても、ゴミ収集かごの下側空間が負圧になることが回避され、ゴミのゴミ収集かご内壁への吸着が防止される。したがって、ゴミのかごへの密着が回避され、ある程度ゴミが溜まった状態でも、良好な排水性能が維持される。【選択図】図１
2010265672.tif 000002
【特許請求の範囲】
【請求項１】
排水口に設置され排水を通過させてゴミを収集する排水口用ゴミ収集かごにおいて、
有底の筒状に形成され、少なくとも側壁部は通水可能な壁部とされたかご本体部と、
該かご本体部内に設置され、かご本体部の上縁部近傍位置からかご本体部の底部の下側空間までの間を連通させる通気手段と、
を有することを特徴とする排水口用ゴミ収集かご。
【請求項２】
前記通気手段は、
前記かご本体部の内側壁に沿って設けられ、該設置状態で開口された上端部は、前記かご本体部の前記上縁部近傍位置に有り、開口された下端部は、前記かご本体部の底部を貫通して前記底部の下側にある中空構造の通気管として構成されたことを特徴とする請求項１に記載の排水口用ゴミ収集かご。
【請求項３】
前記かご本体部の底部は、通水可能な多孔構造とされ、
前記通気手段は、中空の通気管として構成され、該通気パイプの下端開口は、前記底部の近接位置に在ることを特徴とする請求項１に記載の排水口用ゴミ収集かご。
【請求項４】
有底の筒状に形成され、排水口内に設置され排水を通過させてゴミを収集する既製の排水口用ゴミ収集かごに取り付け可能な排水口用ゴミ収集かご用通気管において、
前記排水口用ゴミ収集かごの上端近傍位置から底部まで伸長可能な長さを有し、両端が開口された通気管本体と、
該通気管本体を前記ゴミ収集かご内で該ゴミ収集かごの側壁に沿って取り付けるための係止手段と、
を有することを特徴とする排水口用ゴミ収集かご用通気管。
【請求項５】
前記通気管本体は、
両端が開口の管として構成され、
前記係止手段は、
前記パイプの外側部に設けられ、前記既製の排水口用ゴミ収集かごの側壁に係止可能な爪部として構成されたことを特徴とする請求項４に記載の後付け用通気管。
【請求項６】
前記通気管本体は、
両端が開口の管として構成され、
前記係止手段は、
前記管の一方の端部に該管に略直交する方向に伸長するように設けられ、前記既製の排水口用ゴミ収集かごの内側壁に沿って当接設置可能な略縁弧状体として構成されたことを特徴とする請求項４に記載の後付け用通気管。
【請求項７】
前記通気管は、ゴミ収集かごへの設置状態における下側部分と上側部分とが分離可能に構成され、
上側部分は、下側部分に対して着脱可能な構成を有し、且つ、下側部分に取り付けられた状態では、その上端開口部が前記ゴミ収集かごの上端縁から所定長さ突出する形態を有することを特徴とする請求項１から６に係る排水口用ゴミ収集かご又は排水口用ゴミ収集かご用通気管。
【発明の詳細な説明】
【技術分野】
【０００１】
本発明は、流しなどの排水口に設置され排水を通過させてゴミを収集する排水口用ゴミ収集かご、特に、通気手段付き排水口用ゴミ収集かご及び後付け用通気手段に関するものである。
【背景技術】
【０００２】
例えば、流しなどには、最終的に下水道に連通する排水口が設けられており、この排水口には、ゴミなどがそのまま下水道側へ流下することを防ぐために、いわゆるゴミ収集かごが設置される。この様なゴミ収集かごには、水は円滑に通し、種々のゴミは、可及的にこれをかごの中に留め置くことが求められる。したがって、ゴミ収集かごは、通常、排水口の形状とサイズに対応して構成され、底部を有する略円筒状に形成されているのが一般的である。そして、その側壁部や底部は、網状体や多孔の部材によって形成されている。
【０００３】
図９は、一般的な流し台の排水口に設置されたゴミ収集かごの状態を示した概略断面図であり、図示のように、流し台１００の底部１００ａには排水口１０２が形成され、その下方にはゴミ収集かご９０を設置する空間Ｘが形成されその下方に排水管１０４が形成されている。なお、図上、符号１０８は、一般に設置されているゴム製のゴミ止めであり、ここで大きなゴミを制止しているものである。
【０００４】
また、他の構成例としては、後述する図５に示したように、空間Ｘの下部に、排水トラップ１０６が形成されたものが有り、これは常に水２００の溜まる空間を形成し、水が流れ込んだときにその増加量だけ排水管１０４に流下させるようにした構造である。これにより、下水道側から上がってくる臭気等を水溜まりによって遮蔽している。
【０００５】
例えば、特許文献１には、「流し台の排水装置」が開示されており、その図２や図４には、上述のようなゴミ収集かごの設置例が示されている。
【先行技術文献】
【特許文献】
【０００６】
【特許文献１】特開第２００２−８８８５０号公報
【発明の概要】
【発明が解決しようとする課題】
【０００７】
上記図９に示した従来のゴミ収集かご９０によれば、空間Ｘの下部空間すなわち、ゴミ収集かご９０の設置された下側の空間Ｘは、排水が排水管１０４に流れ込む際にその水流によって空気が下方に引かれ負圧の状態が発生する。したがって、ゴミ収集かご９０に流れ込んできた種々のゴミＹは、ゴミ収集かご９０内に収集された後、上記空間Ｘに生じた負圧によってゴミ収集かご９０の底部９０ａや側壁９０ｂに吸い寄せられる。
【０００８】
この状況によって、ゴミ収集かご９０内のゴミＹは、後から流れ込んでくる水の圧力と下部空間Ｘの負圧により圧縮されて集積された状態となる。したがって、ゴミ収集かご９０の底部９０ａや側壁部９０ｂは、溜まったゴミＹによって密閉された状態となる。
【０００９】
その状態で、更に水が流れ込んだ場合、流し台１００内の水はけの円滑性が阻害される状況が生じる。また、図示のように、最後に水溜まりＺが発生し、この状態がなかなか解消されないこととなる。したがって、流し台１００におけるゴミ収集かご９０内の清掃、すなわちゴミ捨ての頻度は増加せざるを得ない。また、水の溜まっている状況が継続することは、衛生上も好ましくなく、その様な水の溜まった状態でのゴミ捨て作業も煩雑なものとなる。
【００１０】
本発明は、上記種々の事情に鑑みてなされたものであり、その目的は、ゴミ収集かご内にゴミが流れ込んだ場合でも、それらのゴミによって、ゴミ収集かごの水はけ性が低下することを回避し、常に良好な水はけ性能を維持することのできる排水口用ゴミ収集かご及び排水口用ゴミ収集かご用通気管を提供することにある。
【課題を解決するための手段】
【００１１】
上記目的を達成するため請求項１に記載の排水口用ゴミ収集かごは、
排水口に設置され排水を通過させてゴミを収集する排水口用ゴミ収集かごにおいて、
有底の筒状に形成され、少なくとも側壁部は通水可能な壁部とされたかご本体部と、該かご本体部に設けられ、該かご本体部の上縁部近傍位置からかご本体部の底部の下側空間までの間を連通させる通気手段と、を有することを特徴とする。
【００１２】
この構成により、ゴミ収集かご内にゴミや水が流れ込み、ゴミがせき止められ、水だけが流下していく際に、ゴミ収集かごの下部空間に負圧が生じることが回避される。すなわち、ゴミ収集かごの下側空間とゴミ収集かご内のゴミより上の空間とは、通気手段の存在により、常に連通された状態にある。したがって、排水が流下していく状況においても、ゴミ収集かごの下側空間が負圧になることが回避され、ゴミのゴミ収集かご内壁への吸着が防止される。したがって、ゴミ収集かごの底部や側壁が圧縮されたゴミによって密着遮蔽することが回避される。これにより、ゴミ収集かご内にある程度ゴミが溜まった状態でも、排水のゴミ収集かご溜まりを通しての流下を確保することができる。
【００１３】
請求項２に係る排水口用ゴミ収集かごは、
前記通気手段が、前記かご本体部の内側壁に沿って設けられ、該設置状態で開口された上端部は、前記かご本体部の前記上縁部近傍位置に有り、開口された下端部は、前記かご本体部の底部を貫通して前記底部の下側にある中空構造の通気管として構成されたことを特徴とする。
【００１４】
この構成によれば、通気手段はゴミ収集かご底部を貫通しているので、ゴミ収集かごの下部空間とゴミ収集かごの上側の空間との連通状態を常に安定して確保することができる。すなわち、ゴミ収集かごの底部の通水ための孔部の有無やその位置に左右されす、安定した連通状態を確保することができる。
【００１５】
請求項３に係る排水口用ゴミ収集かごは、
前記かご本体部の底部が、通水可能な多孔構造とされ、前記通気手段は、中空の通気管として構成され、該通気管の下端開口は、前記底部の近接位置に在ることを特徴とする。
【００１６】
この構成によれば、かご本体部の底部は、通水可能な多孔構造となっていることから、通気手段は底部を貫通させることなく、下端開口が底部の近傍位置まで伸びた状況で構成される。これにより、製造工程の煩雑かを伴うことなく、請求項１に記載の構成による機能を奏することができる。
【００１７】
請求項４に係る排水口用ゴミ収集かご用通気管は、
有底の筒状に形成され、排水口内に設置され排水を通過させてゴミを収集する既製の排水口用ゴミ収集かごに取り付け可能な排水口用ゴミ収集かご用通気管において、
前記排水口用ゴミ収集かごの上端近傍位置から底部まで伸長可能な長さを有し、両端が開口された通気管本体と、該通気管本体を前記ゴミ収集かご内で該ゴミ収集かごの側壁に沿って取り付けるための係止手段と、を有することを特徴とする。
【００１８】
この構成によれば、請求項１に記載の発明に係るゴミ収集かごの構成を既製のゴミ収集かごを用いて簡単に構成することができる。すなわち、本発明に係る通気管本体を係止手段によって、後付けでゴミ収集かごに取り付けることができる。これにより、既製のゴミ収集かごの底部下側空間とゴミ収集かごの上部側空間との連通状態を確保することができ、ゴミのゴミ収集かご底部や内壁への密着を回避することができ、良好な水はけ状態を維持することが可能となる。
【００１９】
請求項５に係る排水口用ゴミ収集かご用通気管は、
前記通気管本体が両端が開口の管として構成され、前記係止手段が前記パイプの外側部に設けられ、前記既製の排水口用ゴミ収集かごの側壁に係止可能な爪部として構成されたことを特徴とする。
【００２０】
この構成によれば、ゴミ収集かごの側壁に爪部を係止させることで簡単に通気管本体を取り付けることができる。ゴミ収集かごの側壁は一般的には網状体で形成されており、爪部をその網状体の編み目に係止させることで容易に取付作業を行うことができる。また、爪部は種々の形状が適用可能であり、ゴミ収集かごの上端縁部に係止させる構成とすることも可能である。
【００２１】
請求項６に係る排水口用ゴミ収集かご用通気管は、
前記通気管本体が両端が開口の管として構成され、前記係止手段が前記管の一方の端部に該管に略直交する方向に伸長するように設けられ、前記既製の排水口用ゴミ収集かごの内側壁に沿って当接設置可能な弧状体として構成されたことを特徴とする。
【００２２】
この構成によれば、ゴミ収集かご内に上記弧状体の設けられた端部側から通気管本体を入れ、ゴミ収集かごの底部で、弧状体をゴミ収集かごの内周壁に当接させるように設置することで、簡単に通気管本体のゴミ収集かご内への設置を行うことができる。この係止手段の構成によれば、ゴミ収集かご内へ落とし込む作業を行うことだけで簡単に通気管本体の設置を行うことができ、ゴミ収集かごの構造に左右されることなく常に簡単な設置作業による設置を確保することができる。
【００２３】
請求項７に係る排水口用ゴミ収集かご又は排水口用ゴミ収集かご用通気管は、請求項１から６の何れか１項に係る排水口用ゴミ収集かご又は排水口用ゴミ収集かご用通気管において、
前記通気管が、ゴミ収集かごへの設置状態における下側部分と上側部分とで分離可能に構成され、上側部分は、下側部分に対して着脱可能な構成を有し、且つ、下側部分に取り付けられた状態では、その上端開口部が前記ゴミ収集かごの上端縁から所定長さ突出する形態を有することを特徴とする。
【００２４】
この構成によれば、通常の使用状態では、上側部分をはずして、下側部分のみによる連通機能で円滑な排水状態を確保することができ、そして、排水口の使用状態が長い時間に亘る場合や一度に大量のゴミが出る場合、また、多くの水量使用が伴うような場合に、上側部分を取り付けることで、その様な水やゴミ収集かごの大量使用時においても円滑な排水状態を確保することができる。すなわち、上部側部分の上端開口部が排水口の部分の水面よりも上方に位置させることができるので、ゴミ収集かごの上部と下部とを常に良好に連通させることが可能となるものである。
【発明の効果】
【００２５】
本発明に係る排水口用ゴミ収集かごによれば、排水口の使用時におけるゴミ収集かごの下部空間における負圧の発生を可及的に回避することが可能となる。これにより、ゴミのゴミ収集かご内壁や底部への密着状態の発生を防止することができる。したがって、ゴミ収集かご内にある程度ゴミが溜まった状態でも、良好な排水作用を維持することができ、ゴミ捨て作業の頻度の低減や、水溜まりのは圧政防止による良好な衛生状態の確保が可能となる。
【００２６】
また、本発明に係る及び排水口用ゴミ収集かご用通気管によれば、既製のゴミ収集かごを簡単な極めて簡単な作業により上記の通気手段付きのゴミ収集かごとすることができ、既に設置しているゴミ収集かごの排水性能の向上を後付け部材によって達成することができる。
【図面の簡単な説明】
【００２７】
【図１】本発明の実施の形態に係るゴミ収集かごが流し台の排水口に設置された状態を示す概略縦断面図である。
【図２】図１に示したゴミ収集かごのみを取り出して示した概略縦断面図である。
【図３】本発明に係るゴミ収集かごの他の実施形態を示した概略縦断面図である。
【図４】本発明に係るゴミ収集かごの通気管の取付状態を示すゴミ収集かごの内側斜視図である。
【図５】本発明の実施の形態に係るゴミ収集かごがたの形態に係る流し台の排水口（トラップが付加された構造）に設置された状態を示す概略縦断面図である。
【図６】本発明に係る後付け式の通気手段の実施の形態がゴミ収集かごに取り付けられた状態を示す図であり、（Ａ）はゴミ収集かごの概略縦断面図、（Ｂ）は平面図である。
【図７】本発明に係る後付け式の通気手段の他の実施の形態がゴミ収集かごに取り付けられた状態を示す図であり、（Ａ）はゴミ収集かごの概略縦断面図、（Ｂ）は平面図である。
【図８】本発明に係る後付け式の通気手段の他の実施の形態を示す説明図である。
【図９】従来のゴミ収集かごが流し台の排水口に設置された状態を示す概略縦断面図である。
【発明を実施するための形態】
【００２８】
以下、本発明の実施の形態について図面を用いて詳細に説明する。図１は、本発明の実施の形態に係る排水口用のゴミ収集かご１０が、排水口に設置されている状態を示す概略断面図であり、本実施の形態では、流し台の排水口に設置された状況を例にとって説明する。また、図２は図１に示されたゴミ収集かご１０のみを示している。なお、図において、上記従来の技術の説明において説明した構成と同様の構成には同一の符号を付し、その説明を省略する。
【００２９】
図示の様に、本発明の実施の形態に係るゴミ収集かご１０は、流し台１００の排水口１０２に設置されている。ゴミ収集かご１０は、一般的な構成であり、側壁部１０ｂは多孔部材又は網状体にて形成されており、本図に示されたゴミ収集かご１０では、底部１０ａも多孔部材又は網状体にて形成されている。
【００３０】
そして、ゴミ収集かご１０には、本発明の特徴的構成である通気手段としての通気管１２がゴミ収集かご１０内に設置されている。通気管１２は、中空直線状のシンプルな管の構成であり、長さは、ゴミ収集かご１０の深さに近い長さに構成されている。したがって、図示のように、ゴミ収集かご１０内で、その内側壁１０ｂに設置された状態では、下端部１２ａはゴミ収集かご１０の底部１０ａの内表面の近傍位置に有り、上端部１２ｂは、ゴミ収集かご１０の上端縁部の近傍に位置している。
【００３１】
上記構成によれば、図示のように、ゴミ収集かご１０内にゴミＹや水が流れ込み、ゴミＹがせき止められた状態となった際に、ゴミ収集かご１０の下部空間Ｘとゴミ収集かご１０の上部位置との気圧の差は、通気管１２の存在によって解消されている。すなわち、下部空間Ｘに負圧が生じることが回避される。
【００３２】
したがって、ゴミ収集かご１０内に溜まったゴミＹは、下側空間Ｘの負圧状態によってゴミ収集かご１０の側壁部１０びゃ底部１０ａに吸い付けられることがなく、通常の重なり状態で溜まっている。したがって、後から流れてくる水はこのゴミＹに溜まることなく円滑に下方に流れ、排水管１０４から流下していく。
【００３３】
次に、図３は、通気管１２の図１，２の構成例とは異なる取り付け形態を示している。すなわち、通気管１２の下端部１２ａが底部１０ａを貫通する様に取り付けられている。この構成の場合、ゴミ収集かご１０の製造過程において、底部１０ａには通気管１２を貫通させるための孔を形成し、ここに通気管１２の下端部１２ａを通して取り付ける工程が行われる。
【００３４】
この通気管１２の底部貫通取り付けによれば、ゴミ収集かご１０の下部空間と上側の空間との連通状態を常に安定して確保することができる。すなわち、ゴミ収集かご１０の底部１０ａの通水ための孔部の有無の如何に関わらず連通作用を確保することができる。また、底部１０ａの孔部と通気管１２の下端開口の位置合わせなどを行うことなく、安定した連通状態を確保することができる。
【００３５】
なお、図４は、上記各実施の形態に係るゴミ収集かご１０の内側上部の状態を示す部分説明図であり、内側に取り付けられた通気管１２はゴミ収集かご１０の側壁部１０ｂの内側面に沿って取り付けられ、その上端部がゴミ収集かご１０の上端縁近傍まで伸長していることが理解される。
【００３６】
図５は、上述した排水トラップ１０６の構成を有する流し台１００の排水口１０２に図４に示したゴミ収集かご１０を設置した状態が示されている。この様な排水トラップ１０６の構成を有する排水口１０２排水管１０４内に水が流れ込んでいく際には、ゴミ収集かご１０の下部の空間Ｘには、上記図１の構成の流し台１００と同様に負圧の状態が発生する。したがって、ゴミ収集かご１０内のゴミの側壁部１０ｂや底部１０ａへの密着状態が発生するが、図示のように、ゴミ収集かご１０を通気管１２を備える構成とすることによって、空間Ｘの大気圧状態の確保がなされ、上述の通り円滑な排水機能を維持することが可能である。
【００３７】
図６は、既に排水口に設置されている既製のゴミ収集かご９０に後付で、通気手段を構成することを可能とした後付け用の通気管２０の構成例を示しており、同図（Ａ）は、概略立て断面図、同図（Ｂ）は概略平面図である。
【００３８】
図示のように、通気管２０は、上述の各通気管と同様に、直線上の管体である通気管本体２０ａを有しており、この通気管本体２０ａの外側部に、２つの爪部２０ｂが設けられている。爪部２０ｂは、通気管本体２０ａから突出して設けられ、途中で屈曲した構成となっている。この爪部２０ｂをゴミ収集かご６０の側壁部６０ｂの孔や編み目部に挿通させて取り付けている。この様に、既製のゴミ収集かご６０に通気手段を簡単に取り付け、上記図１〜５に示したような通気手段付きのゴミ収集かごを簡単に構成している。
【００３９】
次に、図７は、後付け可能な通気管の他の構成例を示しており、同図（Ａ）は、当該通気管が設置された状態のゴミ収集かご概略立て断面図、同図（Ｂ）は同じく概略平面図である。図示のように、本実施の形態に係る後付け通気管７０は、通気管本体７０ａが両端が開口の直線上の管体として構成されている。そして、ゴミ収集かご９０へ取り付けるための係止手段として、通気管本体７０ａの一方の端部にこの通気管本体７０ａに略直交する方向に伸長するように、略円弧状の係止用部材７０ｂが設けられている。
【００４０】
また、この略円弧状の係止用部材７０ｂは、ゴミ収集かご９０の側壁部９０ｂの内側壁に当接して設置できるように、その側壁部９０ｂの曲率に近い曲率で湾曲しているのが好適である。同図（Ｂ）に示された様に本実施の形態では、ぴったりと側壁部９０ｂの内容面に当接されて設置されていることが理解される。また、略円弧状の係止用部材７０ｂの材質を可撓性の有るものとすることで、種々のゴミ収集かごへの適宜設置時に曲げて合わせて装填することが可能となる。
【００４１】
また、この実施の形態に係る通気管７０によれば、ゴミ収集かご９０内に略円弧状の係止手段７０側から通気管７０を落とし込む作業だけで、簡単な設置が可能となり、様々な形態のゴミ収集かごにおいて、その構造に左右されることなく常に簡単な設置作業による設置を確保することができる。
【００４２】
図８は、更に他の通気管の構成例を示している。図示のように、本実施の形態に係る通気管８０は、上側部分と下側部分とで分離可能な構成を有している。すなわち、予めゴミ収集かご９０に取り付けられている直線上の両端開口の通気管ベース部８０ａに対して、着脱可能な取り付け上部８０ｂを有している。本実施の形態では、取り付け上部８０ｂの下端部が、通気管ベース部８０ａの上端開口部に装着可能な構成を有している。そして、特徴的なことは、取り付け上部８０ｂは、通気管ベース部８０ａに取り付けられた状態では、その上端開口部８０ｃは、流し台の底部１００ａの面よりもやや上方に位置していることである。なお、通気管ベース部８０ａの下端部は図示していないが、上述の各実施の形態と同様に、ゴミ収集かごの底部を貫通するか、底部近傍位置まで開口して伸長している。
【００４３】
この構成によれば、通常の使用状態では、取り付け上部８０ｂをはずして、通気管ベース部８０ａのみによる連通機能で円滑な排水状態を確保することができる。そして、流し台の使用状態が長い時間に亘る場合や一度に大量のゴミが出る場合、更に、多くの水量が使用されるような場合に、流し台の底部１００ａ上に常時水が存在するような場合に、この取り付け上部８０ｂを取り付けることで、その開口上端８０ｃは溜まっている水よりも上方で開口することとなる。
【００４４】
したがって、その様なゴミや水の大量発生時においてもゴミ収集かご９０の下部空間と上方側空間の連通状態を確保することができ、下部空間での負圧状態の発生を的確に回避することができる。なお、取り付け上部８０ｂは、可撓性、更には、弾力性を有する部材で構成することが好適である。
【００４５】
なお、本発明は、上記種々の実施の形態の構成に限定されるものではなく、発明の要旨の範囲内で種々の変形が可能である。例えば、通気管の形状は、直線上の円筒体に限られるものではなく、ゴミ収集かごの上部と下部での連通状態が確保される構成であれば種々の変形が可能である。更に、上記各実施例では、通気管は、ゴミ収集かごの内部に設置する構成のものだけを示したが、必ずしもこれに限られるものではなく、ゴミ収集かごの構成を修正して外側に配置するようにすることも可能である。
【符号の説明】
【００４６】
１０  排水口用ゴミ収集かご
１０ａ  底部
１０ｂ  側壁部
１２  通気管
１２ａ  下端部
１２ｂ  上端部
２０  通気管
２０ａ  通気管本体
２０ｂ  爪部
７０  後付け通気管
７０ａ  通気管本体
７０ｂ  係止用部材
８０  通気管
８０ａ  通気管ベース部
８０ｂ  取り付け上部
８０ｃ  上端開口部
【図１】
2010265672.tif 000003
【図２】
2010265672.tif 000004
【図３】
2010265672.tif 000005
【図４】
2010265672.tif 000006
【図５】
2010265672.tif 000007
【図６】
2010265672.tif 000008
【図７】
2010265672.tif 000009
【図８】
2010265672.tif 000010
【図９】
2010265672.tif 000011